(57)【要約】【課題】スルーホールを形成することなく、低コストでフレキシブル基板に形成するアンテナパターンの巻き数を増加させることができるアンテナ装置を提供する。【解決手段】アンテナ装置は、ループ状の第１のアンテナパターン１０１ａが形成された第１の領域１０１と、第１の領域１０１に連結部１００ａを介して連結され、連結部１００ａで折り曲げられることにより、第１のアンテナパターン１０１ａに重なるように対向配置されるループ状の第２のアンテナパターン１０２ａが形成された第２の領域１０２と、を有するフレキシブル基板１００と、連結部１００ａで折り曲げられた状態のフレキシブル基板１００の第１の領域１０１及び第２の領域１０２と一体に固着される磁性体シート４００と、を備える。第１の領域１０１及び第２の領域１０２には、磁性体シート４００が固着された状態で第１のアンテナパターン１０１ａと第２のアンテナパターン１０２ａとを電気的に接続する接続部２０１，２０３がそれぞれ設けられている。【選択図】図４
2017017536.tif 000002
【特許請求の範囲】
【請求項１】
ループ状の第１のアンテナパターンが形成された第１の領域と、前記第１の領域に連結部を介して連結され、前記連結部で折り曲げられることにより、前記第１のアンテナパターンに重なるように対向配置されるループ状の第２のアンテナパターンが形成された第２の領域と、を有するフレキシブル基板と、
前記連結部で折り曲げられた状態の前記フレキシブル基板の前記第１の領域及び前記第２の領域と一体に固着される磁性体シートと、を備え、
前記第１の領域及び前記第２の領域には、前記磁性体シートが固着された状態で前記第１のアンテナパターンと前記第２のアンテナパターンとを電気的に接続する接続部がそれぞれ設けられていることを特徴とするアンテナ装置。
【請求項２】
前記磁性体シートは、前記第２の領域を前記第１の領域との間に挟み込んだ状態で前記第１の領域に固着されていることを特徴とする請求項１に記載のアンテナ装置。
【請求項３】
前記磁性体シートは、前記第２の領域に形成された孔部を介して前記第１の領域に固着されていることを特徴とする請求項２に記載のアンテナ装置。
【請求項４】
前記孔部の内周部は、凹凸形状に形成されていることを特徴とする請求項３に記載のアンテナ装置。
【請求項５】
前記接続部は、前記第１のアンテナパターンの端部、及び前記第２のアンテナパターンの端部のそれぞれの絶縁層を除去して導体層を露出させることで形成されていることを特徴とする請求項１乃至４のいずれか一項に記載のアンテナ装置。
【請求項６】
前記連結部は、前記フレキシブル基板の前記接続部の対角方向に配置されていることを特徴とする請求項１乃至５のいずれか一項に記載のアンテナ装置。
【請求項７】
前記第１の領域、及び前記第２の領域は、矩形状に形成され、前記連結部は、前記第１の領域と前記第２の領域の短辺部に配置されていることを特徴とする請求項１乃至６のいずれか一項に記載のアンテナ装置。
【請求項８】
前記第１の領域には、前記第１のアンテナパターン、及び前記第２のアンテナパターンがそれぞれ電気的に接続される信号処理部が実装されていることを特徴とする請求項１乃至７のいずれか一項に記載のアンテナ装置。
【請求項９】
ループ状の第１のアンテナパターンが形成された第１の領域と、前記第１の領域に第１の連結部を介して連結され、前記第１の連結部で折り曲げられることにより、前記第１のアンテナパターンに重なるように対向配置されるループ状の第２のアンテナパターンが形成された第２の領域と、前記第２の領域に第２の連結部を介して連結され、前記第２の連結部で折り曲げられることにより、前記第２のアンテナパターンに重なるように対向配置されるループ状の第３のアンテナパターンが形成された第３の領域と、を有するフレキシブル基板と、
前記第１の連結部、及び前記第２の連結部で折り曲げられた状態の前記フレキシブル基板の前記第１の領域、前記第２の領域、及び第３の領域と一体に固着される磁性体シートと、を備え、
前記第１の領域及び前記第２の領域には、前記磁性体シートが固着された状態で前記第１のアンテナパターンと前記第２のアンテナパターンとを電気的に接続する第１の接続部がそれぞれ設けられ、前記第２の領域及び前記第３の領域には、前記磁性体シートが固着された状態で前記第２のアンテナパターンと前記第３のアンテナパターンとを電気的に接続する第２の接続部がそれぞれ設けられていることを特徴とするアンテナ装置。
【請求項１０】
前記磁性体シートは、前記第１の領域、及び前記第２の領域を前記第３の領域との間に挟み込んだ状態で前記第３の領域に固着されていることを特徴とする請求項９に記載のアンテナ装置。
【請求項１１】
前記磁性体シートは、前記第１の領域、及び前記第２の領域にそれぞれ形成された孔部を介して前記第３の領域に固着されていることを特徴とする請求項１０に記載のアンテナ装置。
【請求項１２】
前記孔部の内周部は、凹凸形状に形成されていることを特徴とする請求項１１に記載のアンテナ装置。
【請求項１３】
前記第１の接続部は、前記第１のアンテナパターンの内周側の端部、及び前記第２のアンテナパターンの外周側の端部のそれぞれの絶縁層を除去して導体層を露出させることで形成され、前記第２の接続部は、前記第２のアンテナパターンの内周側の端部、及び前記第３のアンテナパターンの内周側の端部のそれぞれの絶縁層を除去して導体層を露出させることで形成されていることを特徴とする請求項９乃至１２のいずれか一項に記載のアンテナ装置。
【請求項１４】
前記第１の領域、前記第２の領域、及び前記第２の領域は、それぞれ矩形状に形成され、前記第１の連結部は、前記第１の領域と前記第２の領域の短辺部に配置され、前記第２の連結部は、前記第２の領域と前記第３の領域の短辺部に配置されていることを特徴とする請求項９乃至１３のいずれか一項に記載のアンテナ装置。
【請求項１５】
前記第２の接続部は、前記第１の領域に形成された開口部を介して前記第２のアンテナパターンと前記第３のアンテナパターンとを電気的に接続することを特徴とする請求項９乃至１４のいずれか一項に記載のアンテナ装置。
【請求項１６】
前記第１の領域には、前記第１のアンテナパターン、前記第２のアンテナパターン、及び前記第３のアンテナパターンがそれぞれ電気的に接続される信号処理部が実装されていることを特徴とする請求項９乃至１５のいずれか一項に記載のアンテナ装置。
【請求項１７】
請求項１乃至１６のいずれか一項に記載のアンテナ装置を備える電子機器。
【発明の詳細な説明】
【技術分野】
【０００１】
本発明は、例えばデジタルカメラ等の撮像装置を含む電子機器に搭載されるアンテナ装置、及びアンテナ装置を備える電子機器に関する。
【背景技術】
【０００２】
ＲＦＩＤ（Ｒａｄｉｏ Ｆｒｅｑｕｅｎｃｙ Ｉｄｅｎｔｉｆｉｃａｔｉｏｎ）と称される非接触型ＩＣカード等のアンテナ装置は、ＩＣチップを搭載した基板にアンテナパターンを形成して作製される。このようなアンテナ装置では、例えば、ポリイミド等をベース基材としたフレキシブル基板において、通信用のアンテナパターンを複数巻回してループ状あるいはスパイラル状に形成するのが一般的である。アンテナパターンの形成においては、パターン上に設けられたスルーホールを経由してフレキシブル基板の複数の配線層にわたりループ形状のアンテナパターンを形成することによりアンテナパターンの巻き数を確保することが知られている（特許文献１及び２）。
【先行技術文献】
【特許文献】
【０００３】
【特許文献１】特開２０１３-１７４９４８号公報
【特許文献２】特開２００２−３６６９１７号公報
【発明の概要】
【発明が解決しようとする課題】
【０００４】
しかし、上記特許文献１及び２では、配線基板の複数層にわたりループ形状のアンテナパターンを形成してアンテナパターンの巻き数を確保するには、配線基板にスルーホールを形成する必要があるため、配線基板の製造コストが高くなるという問題がある。
【０００５】
そこで、本発明は、スルーホールを形成することなく、低コストでフレキシブル基板に形成するアンテナパターンの巻き数を増加させることができるアンテナ装置、及びアンテナ装置を備える電子機器を提供することを目的とする。
【課題を解決するための手段】
【０００６】
上記目的を達成するために、本発明のアンテナ装置は、ループ状の第１のアンテナパターンが形成された第１の領域と、前記第１の領域に連結部を介して連結され、前記連結部で折り曲げられることにより、前記第１のアンテナパターンに重なるように対向配置されるループ状の第２のアンテナパターンが形成された第２の領域と、を有するフレキシブル基板と、前記連結部で折り曲げられた状態の前記フレキシブル基板の前記第１の領域及び前記第２の領域と一体に固着される磁性体シートと、を備え、前記第１の領域及び前記第２の領域には、前記磁性体シートが固着された状態で前記第１のアンテナパターンと前記第２のアンテナパターンとを電気的に接続する接続部がそれぞれ設けられていることを特徴とする。
【０００７】
また、本発明のアンテナ装置は、ループ状の第１のアンテナパターンが形成された第１の領域と、前記第１の領域に第１の連結部を介して連結され、前記第１の連結部で折り曲げられることにより、前記第１のアンテナパターンに重なるように対向配置されるループ状の第２のアンテナパターンが形成された第２の領域と、前記第２の領域に第２の連結部を介して連結され、前記第２の連結部で折り曲げられることにより、前記第２のアンテナパターンに重なるように対向配置されるループ状の第３のアンテナパターンが形成された第３の領域と、を有するフレキシブル基板と、前記第１の連結部、及び前記第２の連結部で折り曲げられた状態の前記フレキシブル基板の前記第１の領域、前記第２の領域、及び第３の領域と一体に固着される磁性体シートと、を備え、前記第１の領域及び前記第２の領域には、前記磁性体シートが固着された状態で前記第１のアンテナパターンと前記第２のアンテナパターンとを電気的に接続する第１の接続部がそれぞれ設けられ、前記第２の領域及び前記第３の領域には、前記磁性体シートが固着された状態で前記第２のアンテナパターンと前記第３のアンテナパターンとを電気的に接続する第２の接続部がそれぞれ設けられていることを特徴とする。
【発明の効果】
【０００８】
本発明によれば、スルーホールを形成することなく、低コストでフレキシブル基板に形成するアンテナパターンの巻き数を増加させることができる。
【図面の簡単な説明】
【０００９】
【図１】本発明の第１の実施形態であるアンテナ装置が搭載された電子機器の一例としてのデジタルカメラを正面側から見た斜視図である。
【図２】本発明の第１の実施形態であるアンテナ装置の外観斜視図である。
【図３】フレキシブル基板の展開図である。
【図４】（ａ）はフレキシブル基板の展開状態の斜視図、（ｂ）はフレキシブル基板を連結部で折り返した状態の斜視図、（ｃ）は折り返した状態のフレキシブル基板に磁性体シートを固着する様子を示す斜視図である。
【図５】（ａ）はフレキシブル基板の展開図、（ｂ）は（ａ）のＡ−Ａ線断面図である。
【図６】（ａ）はアンテナ装置を磁性体シート側から見た平面図、（ｂ）は（ａ）のＢ−Ｂ線断面図、（ｃ）は（ａ）のＣ−Ｃ線断面図である。
【図７】本発明の第２の実施形態であるアンテナ装置の外観斜視図である。
【図８】フレキシブル基板の展開図である。
【図９】（ａ）はフレキシブル基板の展開状態の斜視図、（ｂ）はフレキシブル基板を連結部で折り返した状態の斜視図、（ｃ）は折り返した状態のフレキシブル基板に磁性体シートを固着する様子を示す斜視図である。
【図１０】本発明の第３の実施形態であるアンテナ装置の外観斜視図である。
【図１１】フレキシブル基板の展開図である。
【図１２】（ａ）はフレキシブル基板の展開状態の斜視図、（ｂ）はフレキシブル基板を連結部で折り返した状態の斜視図、（ｃ）は折り返した状態のフレキシブル基板に磁性体シートを固着する様子を示す斜視図である。
【図１３】本発明の第４の実施形態であるアンテナ装置の外観斜視図である。
【図１４】フレキシブル基板の展開図である。
【図１５】（ａ）はフレキシブル基板の展開状態の斜視図、（ｂ）はフレキシブル基板を第１の連結部で折り返した状態の斜視図である。（ｃ）はフレキシブル基板を第１の連結部及び第２の連結部で折り返した状態の斜視図、（ｄ）は（ｃ）の状態のフレキシブル基板に磁性体シートを固着する様子を示す斜視図である。
【図１６】（ａ）はアンテナ装置を磁性体シート側から見た平面図、（ｂ）は（ａ）のＤ−Ｄ線断面図、（ｃ）は（ａ）のＥ−Ｅ線断面図である。
【図１７】本発明の第５の実施形態であるアンテナ装置の外観斜視図である。
【図１８】フレキシブル基板の展開図である。
【図１９】（ａ）はフレキシブル基板の展開状態の斜視図、（ｂ）はフレキシブル基板を第１の連結部で折り返した状態の斜視図である。（ｃ）はフレキシブル基板を第１の連結部及び第２の連結部で折り返した状態の斜視図、（ｄ）は（ｃ）の状態のフレキシブル基板に磁性体シートを固着する様子を示す斜視図である。
【発明を実施するための形態】
【００１０】
以下、図面を参照して、本発明の実施形態を説明する。
【００１１】
（第１の実施形態）
図１は、本発明の第１の実施形態であるアンテナ装置が搭載された電子機器の一例としてのデジタルカメラを正面側から見た斜視図である。
【００１２】
図１に示すデジタルカメラ１０は、正面側に沈胴式のレンズ鏡筒１１が設けられ、上面部には、電源ボタン１２及びレリーズボタン１３等が設けられている。デジタルカメラ１０の正面側から見て右側の側部には、本発明の第１の実施形態であるアンテナ装置５００が非導電性の樹脂材料により形成されたサイドカバー１４により覆われた状態で組み付けられる。これにより、アンテナ装置５００は、サイドカバー１４を介して外部機器との間で近距離無線通信による送受信が可能になる。
【００１３】
図２は、本発明の第１の実施形態であるアンテナ装置５００の外観斜視図である。図２に示すように、アンテナ装置５００は、信号処理部３００が実装され、連結部１００ａで折り返された状態のフレキシブル基板１００と、フレキシブル基板１００に固着された磁性体シート４００とを有する。
【００１４】
図３は、フレキシブル基板１００の展開図である。図３に示すように、フレキシブル基板１００は、図３の上下方向に長い矩形状の第１の領域１０１と、第１の領域１０１の図３の上端側左側部に連結部１００ａを介して連結される第２の領域１０２とを有する。第２の領域１０２は、第１の領域１０１と同様に、図３の上下方向に長い矩形状に形成されているが、第１の領域１０１に比べて図３の上下方向の長さが短くなっている。また、第２の領域１０２と第１の領域１０１が連結された状態では、第２の領域１０２と第１の領域１０１の上端側の短辺部は、略面一になっている。
【００１５】
フレキシブル基板１００の第１の領域１０１には、内周側から外周側に向けてループ状に巻回されたアンテナパターン１０１ａが形成されている。アンテナパターン１０１ａの外周側の端部は、第１の領域１０１の長手方向の図３の下端側に実装された信号処理部３００に電気的に結線されている。信号処理部３００は、アンテナパターン１０１ａからの入出力信号を処理する。
【００１６】
アンテナパターン１０１ａの内周側の端部は、アンテナパターン１０１ａの内周側で図３の右下隅部に形成された接続部２０１に電気的に結線されている。また、接続部２０１の図３の下側には、接続部２０２が形成され、接続部２０２は、アンテナパターン１０１ａを間に挟んで接続部２０１に対して第１の領域１０１の長手方向に対向して配置されている。接続部２０２は、連絡パターン１０１ｄを介して信号処理部３００に電気的に接続されている。接続部２０１、及び接続部２０２には、半球状の半田ペースト２００が列状に塗布されている。第１の領域１０１の平面内において、接続部２０１の略対角方向に位置する左上隅部に前述した連結部１００ａが配置されている。
【００１７】
フレキシブル基板１００の第２の領域１０２には、内周側から外周側に向けてループ状に巻回されたアンテナパターン１０２ａが形成されている。アンテナパターン１０２ａの内周側の端部及び外周側の端部は、それぞれ第１の領域１０１の接続部２０１及び接続部２０２に対応して形成された接続部２０３及び接続部２０４に電気的に結線されている。第２の領域１０２のアンテナパターン１０２ａの内側には、内周部が凹凸形状に形成された孔部１０２ｂが形成されている。
【００１８】
図４（ａ）はフレキシブル基板１００の展開状態の斜視図、図４（ｂ）はフレキシブル基板１００を連結部１００ａで折り返した状態の斜視図、図４（ｃ）は折り返した状態のフレキシブル基板１００に磁性体シート４００を固着する様子を示す斜視図である。
【００１９】
図４（ａ）に示すように、フレキシブル基板１００の第１の領域１０１に対して第２の領域１０２を連結部１００ａのＹ−Ｙ線の位置で折り曲げると、図４（ｂ）に示す状態となる。図４（ｂ）の状態では、第１の領域１０１のアンテナパターン１０１ａと第２の領域１０２のアンテナパターン１０２ａとが対向配置されるとともに、接続部２０１及び接続部２０２がそれぞれ接続部２０３及び接続部２０４に対向配置される。
【００２０】
そして、図４（ｂ）の状態で、図４（ｃ）に示すように、第１の領域１０１と略同じ大きさの磁性体シート４００を第１の領域１０１との間に第２の領域１０２を挟み込むようにＺ方向に組み付けて第１の領域１０１に接着剤等により固着する。このとき、磁性体シート４００は、第２の領域１０２の外縁部１０２ｆと孔部１０２ｂに相当する位置で第１の領域１０１に固着され、これにより、図２に示す状態となる。
【００２１】
図２の状態では、接続部２０１が接続部２０３に押し付けられるとともに、接続部２０２が接続部２０４に押しつけられて保持されることにより、それぞれが電気的に接続されている。これにより、第１の領域１０１のアンテナパターン１０１ａと第２の領域１０２のアンテナパターン１０２ａが一体のループ状アンテナパターンとして構成される。
【００２２】
また、接続部２０１と接続部２０２に塗布された半球状の半田ペースト２００により、第１の領域１０１のアンテナパターン１０１ａと第２の領域１０２のアンテナパターン１０２ａの電気的接続が安定的に確保される。
【００２３】
ここで、磁性体シート４００は、アンテナ装置５００を金属筐体等に近接させた状態で使用したときに、アンテナパターン１０１ａ，１０２ａで発生した磁束の一部が金属筐体等に吸収されて金属筐体に渦電流が発生するのを抑制するために設けられる。この渦電流は、金属筐体等に逆向きの磁束を発生させてアンテナ装置５００のアンテナパターン１０１ａ，１０２ａに到達する磁束を減少させ、アンテナ装置５００に十分な電力を供給するのを阻害するとともに、通信距離を短くする原因となる。
【００２４】
そこで、本実施形態のアンテナ装置５００は、図１において、磁性体シート４００をデジタルカメラ１０の内部側に向けて配置して、デジタルカメラ１０の内部の金属筐体による影響を軽減させている。
【００２５】
次に、図５及び図６を参照して、アンテナ装置５００について更に詳述する。
【００２６】
図５（ａ）はフレキシブル基板１００の展開図、図５（ｂ）は図５（ａ）のＡ−Ａ線断面図である。図５（ｂ）に示すように、フレキシブル基板１００は、ポリイミドフィルムからなるベース絶縁基材層１００ｂに銅箔からなる導体層１００ｄが積層され、導体層１００ｄは、絶縁層としてのカバーレイ層１００ｃにより被覆されている。
【００２７】
フレキシブル基板１００の第１の領域１０１の導体層１００ｄには、アンテナパターン１０１ａが形成されている。アンテナパターン１０１ａの内周側の端部は、パターン上のカバーレイ層１００ｃが例えば矩形状に除去され、これにより、導体層１００ｄが露出した接続部２０１が形成されている。接続部２０１には、前述したように、半球状の半田ペースト２００が列状に塗布されている。
【００２８】
図６（ａ）はアンテナ装置５００を磁性体シート４００側から見た平面図、図６（ｂ）は図６（ａ）のＢ−Ｂ線断面図、図６（ｃ）は図６（ａ）のＣ−Ｃ線断面図である。
【００２９】
図６（ｂ）に示すように、フレキシブル基板１００の第２の領域１０２の導体層１００ｄには、アンテナパターン１０２ａが形成されている。アンテナパターン１０２ａの内周側の端部は、パターン上のカバーレイ層１００ｃが矩形状に除去されて、導体層１００ｄが露出した接続部２０３が形成されている。接続部２０３には、接続部２０１に塗布された半球状の半田ペースト２００が接続部２０３を押し付けた状態で保持され、これにより、第１の領域１０１のアンテナパターン１０１ａと第２の領域１０２のアンテナパターン１０２ａの電気的接続が安定的に確保される。
【００３０】
また、図６（ｂ）及び図６（ｃ）に示すように、磁性体シート４００は、第２の領域１０２の外縁部１０２ｆと孔部１０２ｂの位置で接続部２０１と接続部２０３、及び接続部２０２と接続部２０４を長手方向に挟んだ状態で第１の領域１０１に固着されている。これにより、接続部２０１と接続部２０３、及び接続部２０２と接続部２０４の電気的接続が安定的に確保される。
【００３１】
以上説明したように、本実施形態では、導体層が単層からなるフレキシブル基板１００を用いた場合でも、スルーホールを形成することなく、低コストでフレキシブル基板１００に形成するアンテナパターンの巻き数を増加させることができる。これにより、アンテナ装置５００の通信距離を拡大することができる。
【００３２】
また、本実施形態では、第２領域１０２の孔部１０２ｂの内周部の凹凸形状を利用して磁性体シート４００と第１の領域１０１と第２の領域１０２とを一体に接着しているので、接着領域を広げることができ、接着強度が向上する。
【００３３】
また、本実施形態では、第１の領域１０１と第２の領域１０２を連結する連結部１００ａにパターンを設けていないため、連結部１００は、他の領域に比べて柔軟になり、容易に折り曲げることができる。この場合、連結部１００のカバーレイ層を除去することにより、より曲げやすくすることも可能である。
【００３４】
なお、本実施形態では、導体層が単層の配線基板を例示したが、導体層が複数層からなる配線基板を用いた場合は、アンテナパターンの巻き数をさらに増やすことが可能になり、アンテナ装置の通信距離を更に拡大することができる。
【００３５】
また、本実施形態では、連結部１００ａを第１の領域１０１と第２の領域１０２の長手方向の端部に配置した場合を例示したが、連結部１００ａを第１の領域１０１と第２の領域１０２の長手方向の略中間に配置してもよい。連結部１００ａを第１の領域１０１と第２の領域１０２の長手方向の略中間に配置することで、連結部１００ａを折り曲げる際に生じるねじれを低減することができ、アンテナ装置を容易に組み立てることができる。
【００３６】
（第２の実施形態）
次に、図７乃至図９を参照して、本発明の第２の実施形態であるアンテナ装置を説明する。図７は、本発明の第２の実施形態であるアンテナ装置５１０の外観斜視図である。図７に示すように、本実施形態のアンテナ装置５１０は、信号処理部３１０が実装され、連結部１１０ａで折り返された状態のフレキシブル基板１１０と、フレキシブル基板１１０に固着された磁性体シート４１０とを有する。
【００３７】
図８は、フレキシブル基板１１０の展開図である。図８に示すように、フレキシブル基板１１０は、図３の上下方向に長い矩形状の第１の領域１１１と、第１の領域１１１の図８の下端側左側部に連結部１１０ａを介して連結される第２の領域１１２とを有する。第２の領域１１２は、第１の領域１１１と同様に、図８の上下方向に長い矩形状に形成されているが、第１の領域１１１に比べて図８の上下方向の長さが短くなっている。
【００３８】
フレキシブル基板１１０の第１の領域１１１には、内周側から外周側に向けてループ状に巻回されたアンテナパターン１１１ａが形成されている。アンテナパターン１１１ａの外周側の端部は、第１の領域１１１の長手方向の図８の下端側に実装された信号処理部３１０に電気的に結線されている。信号処理部３１０は、アンテナパターン１１１ａからの入出力信号を処理する。
【００３９】
アンテナパターン１１１ａの内周側の端部は、アンテナパターン１１１ａの内周側で図８の右上隅部に形成された接続部２１１に電気的に結線されている。接続部２１１には、半球状の半田ペースト２１０が列状に塗布されている。第１の領域１１１の平面内において、接続部２１１の略対角に位置する左下隅部に前述した連結部１１０ａが配置されている。
【００４０】
フレキシブル基板１１０の第２の領域１１２には、内周側から外周側に向けてループ状に巻回されたアンテナパターン１１２ａが形成されている。アンテナパターン１１２ａの内周側の端部は、アンテナパターン１１２ａの内周側で図８の左上隅部に第１の領域１１１の接続部２１１に対応して形成された接続部２１２に電気的に結線されている。
【００４１】
アンテナパターン１１２ａの外周側の端部は、連結部１１０ａを通って第１の領域１１１の信号処理部３１０に電気的に接続されている。第２の領域１１２のアンテナパターン１１２ａの内側には、内周部が凹凸形状に形成された孔部１１２ｂが形成されている。
【００４２】
図９（ａ）はフレキシブル基板１１０の展開状態の斜視図、図９（ｂ）はフレキシブル基板１１０を連結部１１０ａで折り返した状態の斜視図、図９（ｃ）は折り返した状態のフレキシブル基板１１０に磁性体シート４１０を固着する様子を示す斜視図である。
【００４３】
図９（ａ）に示すように、フレキシブル基板１１０の第１の領域１１１に対して第２の領域１１２を連結部１１０ａのＹ−Ｙ線の位置で折り曲げると、図９（ｂ）に示す状態となる。図９（ｂ）の状態では、第１の領域１１１のアンテナパターン１１１ａと第２の領域１１２のアンテナパターン１１２ａとが対向配置されるとともに、接続部２１１が接続部２１２に対向配置される。
【００４４】
そして、図９（ｂ）の状態で、図９（ｃ）に示すように、第１の領域１１１と略同じ大きさの磁性体シート４１０を第１の領域１１１との間に第２の領域１１２を挟み込むようにＺ方向に組み付けて第１の領域１１１に接着剤等により固着する。このとき、磁性体シート４１０は、第２の領域１１２の外縁部１１２ｆと孔部１１２ｂに相当する位置で第１の領域１１１に固着され、これにより、図７に示す状態となる。
【００４５】
図７の状態では、接続部２１１が接続部２１２に押し付けられ保持されることにより、電気的に接続されている。これにより、第１の領域１１１のアンテナパターン１１１ａと第２の領域１１２のアンテナパターン１１２ａが一体のループ状アンテナパターンとして構成される。
【００４６】
また、接続部２１２と接続部２１１に塗布された半球状の半田ペースト２１０により、第１の領域１１１のアンテナパターン１１１ａと第２の領域１１２のアンテナパターン１１２ａの電気的接続が安定的に確保される。なお、接続部２１１，２１２については、上記第１の実施形態と同様に、パターン上のカバーレイ層を除去して導体層を露出させることで形成される。
【００４７】
本実施形態では、上記第１の実施形態の作用効果に加えて、アンテナパターン１１１ａ，１１２ａ同士を電気的に接続する接続部２１１，２１２を１組にすることができる。このため、２組以上の接続部を設けた場合に比較して接続部の位置精度のばらつきによる組み立て時の接続部同士の位置ズレを防ぐことができ、アンテナ装置５１０を容易に組み立てることが可能になる。
【００４８】
（第３の実施形態）
次に、図１０乃至図１２を参照して、本発明の第３の実施形態であるアンテナ装置を説明する。図１０は、本発明の第３の実施形態であるアンテナ装置５２０の外観斜視図である。図１０に示すように、本実施形態のアンテナ装置５２０は、信号処理部３２０が実装され、連結部１２０ａで折り返された状態のフレキシブル基板１２０と、フレキシブル基板１２０に固着された磁性体シート４２０とを有する。
【００４９】
図１１は、フレキシブル基板１２０の展開図である。図１１に示すように、フレキシブル基板１２０は、図１１の左右方向に長い矩形状の第１の領域１２１と、第１の領域１２１の図８の左端側の短辺部上側部に連結部１２０ａを介して連結される第２の領域１２２とを有する。第２の領域１２２は、第２の領域１２１と同様に、図１１の左右方向に長い矩形状に形成されているが、第１の領域１２１に比べて図１１の左右方向及び上下方向の長さが短くなっている。
【００５０】
フレキシブル基板１２０の第１の領域１２１には、内周側から外周側に向けてループ状に巻回されたアンテナパターン１２１ａが形成されている。アンテナパターン１２１ａの外周側の端部は、第１の領域１２１の長手方向の図１１の右端側に実装された信号処理部３２０に電気的に結線されている。信号処理部３２０は、アンテナパターン１２１ａからの入出力信号を処理する。
【００５１】
アンテナパターン１２１ａの内周側の端部は、アンテナパターン１２１ａの内周側で図１１の右下隅部に形成された接続部２２１に電気的に結線されている。第１の領域１２１の平面内において、接続部２２１の略対角方向に位置する左上隅部に前述した連結部１２０ａが配置されている。
【００５２】
また、接続部２２１の図１１の右側には、接続部２２２が形成され、接続部２２２は、アンテナパターン１２１ａを間に挟んで接続部２２１に対して第１の領域１２１の長手方向（左右方向）に対向して配置されている。接続部２２２は、連絡パターン１２１ｄを介して信号処理部３２０に電気的に接続されている。接続部２２１、及び接続部２２２には、半球状の半田ペースト２２０が列状に塗布されている。
【００５３】
フレキシブル基板１２０の第２の領域１２２には、内周側から外周側に向けてループ状に巻回されたアンテナパターン１２２ａが形成されている。アンテナパターン１２２ａの内周側の端部及び外周側の端部は、それぞれ第１の領域１２１の接続部２２１及び接続部２２２に対応して形成された接続部２２３及び接続部２２４に電気的に結線されている。第２の領域１２２のアンテナパターン１２２ａの内側には、内周部が凹凸形状に形成された孔部１２２ｂが形成されている。
【００５４】
図１２（ａ）はフレキシブル基板１２０の展開状態の斜視図、図１２（ｂ）はフレキシブル基板１２０を連結部１２０ａで折り返した状態の斜視図、図１２（ｃ）は折り返した状態のフレキシブル基板１２０に磁性体シート４２０を固着する様子を示す斜視図である。
【００５５】
図１２（ａ）に示すように、フレキシブル基板１２０の第１の領域１２１に対して第２の領域１２２を連結部１２０ａのＸ−Ｘ線の位置で折り曲げると、図１２（ｂ）に示す状態となる。図１２（ｂ）の状態では、第１の領域１２１のアンテナパターン１２１ａと第２の領域１２２のアンテナパターン１２２ａとが対向配置されるとともに、接続部２２１及び接続部２２２がそれぞれ接続部２２３及び接続部２２４に対向配置される。
【００５６】
そして、図１２（ｂ）の状態で、図１２（ｃ）に示すように、第１の領域１２１と略同じ大きさの磁性体シート４２０を第１の領域１２１との間に第２の領域１２２を挟み込むようにＺ方向に組み付けて第１の領域１２１に接着剤等により固着する。このとき、磁性体シート４２０は、第２の領域１２２の外縁部１２２ｆと孔部１２２ｂに相当する位置で第１の領域１２１にも固着され、これにより、図１０に示す状態となる。
【００５７】
図１０の状態では、接続部２２１が接続部２２３に押し付けられるとともに、接続部２２２が接続部２２４に押し付けられて保持されることにより、それぞれが電気的に接続されている。これにより、第１の領域１２１のアンテナパターン１２１ａと第２の領域１２２のアンテナパターン１２２ａが一体のループ状アンテナパターンとして構成される。
【００５８】
また、接続部２２１と接続部２２２に塗布された半球状の半田ペースト２２０により、第１の領域１２１のアンテナパターン１２１ａと第２の領域１２２のアンテナパターン１２２ａの電気的接続が安定的に確保される。なお、接続部２２１〜２２４については、上記第１の実施形態と同様に、パターン上のカバーレイ層を除去して導体層を露出させることで形成される。
【００５９】
本実施形態では、接続部２２１，２２２の略対角方向に位置する第１の領域１２１と第２の領域１２２の短辺部に連結部１２０ａを配置しているので、接続部２２１，２２２から連結部１２０ａまでの距離を長く確保することができる。これにより、上記第１の実施形態の作用効果に加えて、連結部１２０ａを折り曲げた際の反力により接続部２２１と接続部２２３、及び接続部２２２と接続部２２４との電気的接続が阻害されるのを防ぐことができる。
【００６０】
（第４の実施形態）
次に、図１３乃至図１６を参照して、本発明の第４の実施形態であるアンテナ装置を説明する。図１３は、本発明の第４の実施形態であるアンテナ装置５３０の外観斜視図である。図１３に示すように、本実施形態のアンテナ装置５３０は、信号処理部３３０が実装され、連結部１３０ａ，１３０ｂ（図１４参照）で折り返された状態のフレキシブル基板１３０と、フレキシブル基板１３０に固着された磁性体シート４３０とを有する。
【００６１】
図１４は、フレキシブル基板１３０の展開図である。図１４に示すように、フレキシブル基板１３０は、図１４の上下方向に長い矩形状の第１の領域１３１と、第１の領域１３１の図１４の上端側左側部に第１の連結部１３０ａを介して連結される第２の領域１３２とを有する。第２の領域１３２は、第１の領域１３１と同様に、図１４の上下方向に長い矩形状に形成されているが、第１の領域１３１に比べて上下方向の長さ及び左右方向の幅がそれぞれ短くなっている。
【００６２】
また、フレキシブル基板１３０は、第２の領域１３２の図１４の上端側左側部に第２の連結部１３０ｂを介して連結される第３の領域１３３を有する。第３の領域１３３は、第１の領域１３１と同様に、図１４の上下方向に長い矩形状に形成されているが、第１の領域１３１に比べて上下方向の長さが短く左右方向の幅が広くなっている。また、第３の領域１３３は、図１４の上下方向の長さが第２の領域１３２より若干長くなっている。
【００６３】
フレキシブル基板１３０の第１の領域１３１には、内周側から外周側に向けてループ状に巻回されたアンテナパターン１３１ａが形成されている。アンテナパターン１３１ａの外周側の端部は、第１の領域１３１の長手方向の図１４の下端側に実装された信号処理部３３０に電気的に結線されている。信号処理部３３０は、アンテナパターン１３１ａからの入出力信号を処理する。
【００６４】
アンテナパターン１３１ａの内周側の端部は、アンテナパターン１３１ａの内周側で図１４の右下隅部に形成された接続部２３１に電気的に結線されている。また、接続部２３１の図１４の下側には、接続部２３２が形成され、接続部２３２は、アンテナパターン１３１ａを間に挟んで接続部２３１に対して第１の領域１３１の長手方向に対向して配置されている。
【００６５】
接続部２３２は、第１の領域１３１の長手方向において、接続部２３１と信号処理部３３０の間に配置され、連絡パターン１３１ｄを介して信号処理部３３０に電気的に接続されている。第１の領域１３１の平面内において、右下隅部に形成された接続部２３１，２３２の略対角方向に位置する左上隅部には、第１の領域１３１と第２の領域１３２を連結する第１の連結部１３０ａが配置されている。接続部２３１、及び接続部２３２には、半球状の半田ペースト２３０が列状に塗布されている。
【００６６】
第１の領域１３１のアンテナパターン１３１ａの内側には、内周部が凹凸形状に形成された孔部１３１ｂが形成され、孔部１３１ｂの下側には、孔部１３１ｂより左右方向に幅広の開口部１３１ｅが孔部１３１ｂに連通して形成されている。また、第１の領域１３１には、アンテナパターン１３１ａのループ形状と信号処理部３３０との間で幅方向の左側部から接続部２３２に向けて切り欠かれた切り欠き部１３１ｃが形成されている。
【００６７】
フレキシブル基板１３０の第２の領域１３２には、内周側から外周側に向けてループ状に巻回されたアンテナパターン１３２ａが形成されている。アンテナパターン１３２ａの外周側の端部は、第１の領域１３１の接続部２３１に対応して形成された接続部２３３に電気的に結線されている。また、アンテナパターン１３２ａの内周側の端部は、接続部２３３に対してアンテナパターン１３２ａの内側に形成された接続部２３５に電気的に結線されている。
【００６８】
第２の領域１３２のアンテナパターン１３２ａの内側には、内周部が凹凸形状に形成された、第１の領域１３１の孔部１３１ｂより大きい孔部１３２ｂが形成されている。また、第２の領域１３２のアンテナパターン１３２ａの下側の導体層には、第２の領域１３２の幅方向に延びる連絡パターン１３２ｄが形成されている。
【００６９】
連絡パターン１３２ｄの右端側は、接続部２３６に電気的に結線され、連絡パターン１３２ｄの左端側は、接続部２３４に電気的に結線されている。接続部２３４は、第１の領域１３１の接続部２３２に対応している。第２の領域１３２の平面内において、接続部２３６の略対角方向に位置する左上隅部には、第２の領域１３２と第３の領域１３３とを連結する第２の連結部１３０ｂが配置されている。接続部２３５、及び接続部２３６には、半球状の半田ペースト２３０が列状に塗布されている。
【００７０】
フレキシブル基板１３０の第３の領域１３３には、内周側から外周側に向けてループ状に巻回されたアンテナパターン１３３ａが形成されている。アンテナパターン１３３ａの内周側の端部及び外周側の端部は、それぞれ第２の領域１３２の接続部２３５及び接続部２３６に対応して形成された接続部２３７及び接続部２３８に電気的に結線されている。第３の領域１３３の接続部２３７及び第２の領域１３２の接続部２３５は、第１の領域１３１の開口部１３１ｅに対応する位置に配置されている。
【００７１】
図１５（ａ）はフレキシブル基板１３０の展開状態の斜視図、図１５（ｂ）はフレキシブル基板１３０を第１の連結部１３０ａで折り返した状態の斜視図である。図１５（ｃ）はフレキシブル基板１３０を第１の連結部１３０ａ及び第２の連結部１３０ｂで折り返した状態の斜視図、図１５（ｄ）は図１５（ｃ）の状態のフレキシブル基板１３０に磁性体シート４３０を固着する様子を示す斜視図である。図１６（ａ）はアンテナ装置５３０を磁性体シート４３０側から見た平面図、図１６（ｂ）は図１６（ａ）のＤ−Ｄ線断面図、図１６（ｃ）は図１６（ａ）のＥ−Ｅ線断面図である。
【００７２】
図１５（ａ）に示すように、フレキシブル基板１３０の第１の領域１３１に対して第２の領域１３２を第１の連結部１３０ａのＹ１−Ｙ１線の位置で図の矢印方向（上方向）折り曲げると、図１５（ｂ）に示す状態となる。
【００７３】
図１５（ｂ）の状態では、第１の領域１３１のアンテナパターン１３１ａと第２の領域１３２のアンテナパターン１３２ａとが対向配置されると共に、接続部２３１及び接続部２３２にそれぞれ第２の領域１３２の接続部２３３及び接続部２３４が対向配置される。
【００７４】
次に、図１５（ｂ）の状態で第２の領域１３２に対して第３の領域１３３を第２の連結部１３０ｂのＹ２−Ｙ２線の位置で図の矢印方向（下方向）折り曲げると、第１の領域１３１が第２の領域１３２と第３の領域１３３との間に挟み込まれる。これにより、図１５（ｃ）に示す状態となる。
【００７５】
図１５（ｃ）の状態では、第１の領域１３１のアンテナパターン１３１ａに第２の領域１３２のアンテナパターン１３２ａが対向配置されると共に、第２の領域１３２のアンテナパターン１３２ａに第３の領域１３３のアンテナパターン１３３ａが対向配置される。このとき、第１の領域１３１の開口部１３１ｅを介して第２の領域１３２の接続部２３５と第３の領域１３３の接続部２３７とが対向配置される。また、第１の領域１３１の切り欠き部１３１ｃを介して第２の領域１３２の接続部２３６と第３の領域１３３の接続部２３８とが対向配置される。
【００７６】
そして、図１５（ｃ）の状態で、図１５（ｄ）に示すように、第３の領域１３３と略同じ大きさの磁性体シート４３０を第３の領域１３３との間に第１及び第２の領域１３１，１３２を挟み込むようにＺ方向に組み付けて接着剤等で第３の領域１３３に固着する。
【００７７】
このとき、図１６（ｃ）に示すように、磁性体シート４３０は、第２の領域１３２の外縁部１３２ｆと孔部１３２ｂに相当する位置で第１の領域１３１に固着される。更に、磁性体シート４３０は、第１の領域１３１の外縁部１３１ｆと孔部１３１ｂに相当する位置で第３の領域１３３に固着され、図１３に示す状態となる。
【００７８】
図１３の状態では、磁性体シート４３０により、図１６（ｂ）に示すように、接続部２３１，２３２，２３５，２３６は、それぞれ接続部２３３，２３４，２３７，２３８に押し付けられて保持されることにより、電気的に接続される。これにより、第１の領域１３１のアンテナパターン１３１ａと第２の領域１３２のアンテナパターン１３２ａと第３の領域１３３のアンテナパターン１３３ａが一体のループ状アンテナパターンとして構成される。
【００７９】
また、接続部２３１，２３２，２３５，２３６に塗布された半球状の半田ペースト２３０により、アンテナパターン１３１ａとアンテナパターン１３２ａとアンテナパターン１３３ａとの電気的接続が安定的に確保される。なお、接続部２３１〜２３８については、上記第１の実施形態と同様に、パターン上のカバーレイ層を除去して導体層を露出させることで形成される。
【００８０】
本実施形態では、フレキシブル基板１３０の３つの領域１３１〜１３３を折り曲げてそれぞれの領域１３１〜１３３に形成されたアンテナパターン１３１ａ〜１３３ａを重ね合わせている。
【００８１】
これにより、導体層が単層のフレキシブル基板１３０を用いた場合でも、フレキシブル基板１３０に形成するアンテナパターンの巻き数を上記第１の実施形態より増加させることができ、通信距離の更なる拡大が可能となる。
【００８２】
（第５の実施形態）
次に、図１７乃至図１９を参照して、本発明の第５の実施形態であるアンテナ装置を説明する。図１７は、本発明の第５の実施形態であるアンテナ装置５４０の外観斜視図である。図１７に示すように、本実施形態のアンテナ装置５４０は、信号処理部３４０が実装され、連結部１４０ａ，１４０ｂ（図１８参照）で折り返された状態のフレキシブル基板１４０と、フレキシブル基板１４０に固着された磁性体シート４４０とを有する。
【００８３】
図１８は、フレキシブル基板１４０の展開図である。図１８に示すように、フレキシブル基板１４０は、図１８の左右方向に長い矩形状の第１の領域１４１と、第１の領域１４１の図１８の下側長辺部の左端側に第１の連結部１４０ａを介して連結される第２の領域１４２とを有する。第２の領域１４２は、第１の領域１４１と同様に、図１８の左右方向に長い矩形状に形成されているが、第１の領域１４１に比べて左右方向の長さ及び上下方向の幅がそれぞれ短くなっている。
【００８４】
また、フレキシブル基板１４０は、第２の領域１４２の図１８の左端側短辺部の下側に第２の連結部１４０ｂを介して連結される第３の領域１４３を有する。第３の領域１４３は、第１の領域１４１と同様に、図１８の左右方向に長い矩形状に形成されているが、第１の領域１４１に比べて左右方向の長さが短く、上下方向の幅が広くなっている。また、第３の領域１４３は、図１８の左右方向の長さが第２の領域１４２より若干長くなっている。
【００８５】
フレキシブル基板１４０の第１の領域１４１には、内周側から外周側に向けてループ状に巻回されたアンテナパターン１４１ａが形成されている。アンテナパターン１４１ａの外周側の端部は、第１の領域１４１の長手方向の図１８の右端側に実装された信号処理部３４０に電気的に結線されている。信号処理部３４０は、アンテナパターン１４１ａからの入出力信号を処理する。
【００８６】
アンテナパターン１４１ａの内周側の端部は、アンテナパターン１４１ａの内周側で図１８の右上隅部に形成された接続部２４１に電気的に結線されている。また、接続部２３１の図１８の右側には、接続部２４２が形成され、接続部２４２は、アンテナパターン１４１ａを間に挟んで接続部２４１に対して第１の領域１４１の長手方向（左右方向）に対向して配置されている。
【００８７】
接続部２４２は、第１の領域１４１の長手方向において、接続部２４１と信号処理部３４０の間に配置され、連絡パターン１４１ｄを介して信号処理部３４０に電気的に接続されている。第１の領域１４１の平面内において、接続部２４１，２４２の略対角方向に位置する左下隅部には、第１の領域１４１と第２の領域１４２を連結する第１の連結部１４０ａが配置されている。接続部２４１、及び接続部２４２には、半球状の半田ペースト２４０が列状に塗布されている。
【００８８】
第１の領域１４１のアンテナパターン１４１ａの内側には、内周部が凹凸形状に形成された孔部１４１ｂが形成され、孔部１４１ｂの右側には、孔部１４１ｂより上下方向に幅広の開口部１４１ｅが孔部１４１ｂに連通して形成されている。また、第１の領域１４１には、アンテナパターン１４１ａのループ形状と信号処理部３４０との間で幅方向（上下方向）の下側部から接続部２４２に向けて切り欠かれた切り欠き部１４１ｃが形成されている。
【００８９】
フレキシブル基板１４０の第２の領域１４２には、内周側から外周側に向けてループ状に巻回されたアンテナパターン１４２ａが形成されている。アンテナパターン１４２ａの外周側の端部は、アンテナパターン１４２ａの外側で第１の領域１４１の接続部２４１に対応して形成された接続部２４３に電気的に結線されている。また、アンテナパターン１４２ａの内周側の端部は、アンテナパターン１４２ａの内側の右下隅部に形成された接続部２４５に電気的に結線されている。
【００９０】
第２の領域１４２のアンテナパターン１４２ａの内側には、内周部が凹凸形状に形成された、第１の領域１４１の孔部１４１ｂより大きい孔部１４２ｂが形成されている。また、第２の領域１４２のアンテナパターン１４２ａの右側の導体層には、第２の領域１４２の幅方向（上下方向）に延びる連絡パターン１４２ｄが形成されている。
【００９１】
連絡パターン１４２ｄの上端側は、接続部２４６に電気的に結線され、連絡パターン１４２ｄの下端側は、接続部２４４に電気的に結線されている。接続部２４４は、第１の領域１４１の接続部２４２に対応している。
【００９２】
第２の領域１４２の平面内において、接続部２４６の略対角方向に位置する左下隅部には、第２の領域１４２と第３の領域１４３とを連結する第２の連結部１４０ｂが配置されている。接続部２４５、及び接続部２４６には、半球状の半田ペースト２４０が列状に塗布されている。
【００９３】
フレキシブル基板１４０の第３の領域１４３には、内周側から外周側に向けてループ状に巻回されたアンテナパターン１４３ａが形成されている。アンテナパターン１４３ａの内周側の端部及び外周側の端部は、それぞれ第２の領域１４２の接続部２４５及び接続部２４６に対応して形成された接続部２４７及び接続部２４８に電気的に結線されている。第３の領域１４３の接続部２４７及び第２の領域１４２の接続部２４５は、第１の領域１４１の開口部１４１ｅに対応する位置に配置されている。
【００９４】
図１９（ａ）はフレキシブル基板１４０の展開状態の斜視図、図１９（ｂ）はフレキシブル基板１４０を第１の連結部１４０ａで折り返した状態の斜視図である。図１９（ｃ）はフレキシブル基板１４０を第１の連結部１４０ａ及び第２の連結部１４０ｂで折り返した状態の斜視図、図１９（ｄ）は図１９（ｃ）の状態のフレキシブル基板１４０に磁性体シート４４０を固着する様子を示す斜視図である。
【００９５】
図１９（ａ）に示すように、フレキシブル基板１４０の第１の領域１４１に対して第２の領域１４２を第１の連結部１４０ａのＹ−Ｙ線の位置で図の矢印方向（上方向）折り曲げると、図１９（ｂ）に示す状態となる。図１９（ｂ）の状態では、第１の領域１４１のアンテナパターン１４１ａと第２の領域１４２のアンテナパターン１４２ａとが対向配置されるとともに、接続部２４１及び接続部２４２にそれぞれ第２の領域１４２の接続部２４３及び接続部２４４が対向配置される。
【００９６】
次に、図１９（ｂ）の状態で第２の領域１４２に対して第３の領域１４３を第２の連結部１４０ｂのＸ−Ｘ線の位置で図の矢印方向（下方向）折り曲げると、第１の領域１４１が第２の領域１４２と第３の領域１４３との間に挟み込まれる。これにより、図１９（ｃ）に示す状態となる。
【００９７】
図１９（ｃ）の状態では、第１の領域１４１のアンテナパターン１４１ａに第２の領域１４２のアンテナパターン１４２ａが対向配置されると共に、第２の領域１４２のアンテナパターン１４２ａに第３の領域１４３のアンテナパターン１４３ａが対向配置される。このとき、第１の領域１４１の開口部１４１ｅを介して第２の領域１４２の接続部２４５と第３の領域１４３の接続部２４７とが対向配置される。また、第１の領域１４１の切り欠き部１４１ｃを介して第２の領域１４２の接続部２４６と第３の領域１４３の接続部２４８とが対向配置される。
【００９８】
そして、図１９（ｃ）の状態で、図１９（ｄ）に示すように、第３の領域１４３と略同じ大きさの磁性体シート４４０を第３の領域１４３との間に第１及び第２の領域１４１，１４２を挟み込むようにＺ方向に組み付けて接着剤等で第３の領域１４３に固着する。
【００９９】
このとき、磁性体シート４４０は、第２の領域１４２の外縁部１４２ｆと孔部１４２ｂに相当する位置で第１の領域１４１に固着される。更に、磁性体シート４４０は、第１の領域１４１の外縁部１４１ｆと孔部１４１ｂに相当する位置で第３の領域１４３に固着され、図１７に示す状態となる。
【０１００】
図１７の状態では、磁性体シート４４０により、接続部２４１，２４２，２４５，２４６は、それぞれ接続部２４３，２４４，２４７，２４８に押し付けられて保持されることにより、電気的に接続される。これにより、第１の領域１４１のアンテナパターン１４１ａと第２の領域１４２のアンテナパターン１４２ａと第３の領域１４３のアンテナパターン１４３ａが一体のループ状アンテナパターンとして構成される。
【０１０１】
また、接続部２４１，２４２，２４５，２４６に塗布された半球状の半田ペースト２４０により、アンテナパターン１４１ａとアンテナパターン１４２ａとアンテナパターン１４３ａとの電気的接続が安定的に確保される。なお、接続部２４１〜２４８については、上記第１の実施形態と同様に、パターン上のカバーレイ層を除去して導体層を露出させることで形成される。
【０１０２】
本実施形態では、上記第４の実施形態と同様に、フレキシブル基板１４０の３つの領域１４１〜１４３を折り曲げてそれぞれの領域１４１〜１４３に形成されたアンテナパターン１４１ａ〜１４３ａを重ね合わせている。これにより、導体層が単層のフレキシブル基板１４０を用いた場合でも、フレキシブル基板１４０に形成するアンテナパターンの巻き数を上記第１の実施形態よりも増加させることができ、通信距離の更なる拡大が可能となる。
【０１０３】
また、本実施形態では、第２の領域１４２と第３の領域１４３の短辺部に第２の連結部１４０ｂを形成しているので、接続部２４１〜２４８から第２の連結部１４０ｂまでの距離を長く確保することができる。これにより、第２の連結部１４０ｂを折り曲げた際の反力により、接続部２４１，２４２，２４５，２４６と接続部２４３，２４４，２４７，２４８との電気的接続が阻害されるのを防ぐことができる。
【０１０４】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【０１０５】
１０  デジタルカメラ
１００  フレキシブル基板
１００ａ  連結部
１００ｂ  ベース絶縁基材層
１００ｃ  カバーレイ層
１００ｄ  導体層
１０１  第１の領域
１０２  第２の領域
１０１ａ，１０２ａ  アンテナパターン
２０１〜２０４  接続部
５００  アンテナ装置
【図１】
2017017536.tif 000003
【図２】
2017017536.tif 000004
【図３】
2017017536.tif 000005
【図４】
2017017536.tif 000006
【図５】
2017017536.tif 000007
【図６】
2017017536.tif 000008
【図７】
2017017536.tif 000009
【図８】
2017017536.tif 000010
【図９】
2017017536.tif 000011
【図１０】
2017017536.tif 000012
【図１１】
2017017536.tif 000013
【図１２】
2017017536.tif 000014
【図１３】
2017017536.tif 000015
【図１４】
2017017536.tif 000016
【図１５】
2017017536.tif 000017
【図１６】
2017017536.tif 000018
【図１７】
2017017536.tif 000019
【図１８】
2017017536.tif 000020
【図１９】
2017017536.tif 000021